(57)【要約】【課題】在宅においても負担のかからない糖尿病予防／糖尿病治療のための支援システムの提供。【解決手段】糖尿病予防に関するデータベースをインターネットに接続された業者のサーバに備え、このデータベースに予め登録された個人からアクセス可能にした糖尿病予防支援／糖尿病治療支援システムであって、個人端末装置と、健康管理データベースサーバ（プロバイダー），医療機関端末装置，健康サービス業者端末装置のうち少なくともいずれかと相互に接続する情報通信ネットワーク（インターネット）を備えてなることを特徴とする。【選択図】　図１
2004065828.tif 000002
【特許請求の範囲】
【請求項１】
糖尿病予防／治療に関するデータベースを情報通信ネットワークに接続された業者のサーバに備え、このデータベースに予め登録された個人からアクセス可能にした糖尿病予防支援／糖尿病治療支援システムであって、
個人端末装置と、健康管理データベースサーバ（プロバイダー），医療機関端末装置，健康サービス業者端末装置のうち少なくともいずれかと相互に接続する情報通信ネットワーク（インターネット）を備えてなることを特徴とする糖尿病予防支援／糖尿病治療支援システム。
【請求項２】
前記個人端末装置は、バイタルデータや問診データを情報通信ネットワークを介してパスワード，ユーザＩＤ番号とともに前記サーバに入力するバイタル情報入力手段，送信するバイタル情報送信手段と、前記バイタルデータや問診データに対する診断結果や助言等を該情報通信ネットワークを介して前記サーバのデータベースから参照するデータベース参照手段とを有することを特徴とする請求項１に記載の糖尿病予防支援／糖尿病治療支援システム。
【請求項３】
前記個人端末装置は、健康サービス業者の製品情報データから該情報通信ネットワークを介してパスワード，ユーザＩＤ番号とともに製品情報をデータベース参照手段により索可能したことを特徴とする請求項１に記載の糖尿病予防支援／糖尿病治療支援システム。
【請求項４】
糖尿病予防支援及び／または糖尿病治療支援に関するデータベースを情報通信ネットワークに接続された業者のサーバに備え、該データベースに予め登録された個人からアクセス可能にした糖尿病予防支援及び／または糖尿病治療支援システムへのアクセスのプログラムコードを備えた記憶媒体であって、
個人端末装置からバイタルデータや問診データを情報通信ネットワークを介してパスワード，ユーザＩＤ番号とともに前記サーバに入力するバイタル情報入力を入力するステップのプログラムコードと、
該入力されたバイタル情報を健康管理データベースサーバ（プロバイダー）及び／または該業者のデータベースに送信するステップのプログラムコードと、
前記バイタルデータや問診データに対する診断結果や助言等を該情報通信ネットワークを介して前記サーバのデータベースから参照するステップのプログラムコードとからなることを特徴とする糖尿病予防支援及び／または糖尿病治療支援システムへのアクセスのプログラムコードを備えた記憶媒体。
【発明の詳細な説明】
【０００１】
【発明の属する技術分野】
本発明は、糖尿病予防のための健康管理支援／糖尿病治療支援システム、糖尿病予防支援及び／または糖尿病治療支援システムへのアクセスのプログラムコードを備えた記憶媒体に関する。
【０００２】
【従来の技術】
近年、国内において糖尿病患者は６００〜８００万人とも言われ、また、１２００万人といわれる、いわゆる糖尿病予備軍がいる。食事，生活パターンの欧風化が糖尿病患者、その予備軍をますます増加させており、生活習慣病等の増加等に伴う医療費の増大のために、生活習慣病の疾病予防の必要性が叫ばれている。また、一旦、糖尿病を発症すると、まず、食事療法、運動療法の指導が主治医により行われ、指導に基づいて２〜４週間、食事療法、運動療法を実行し経過を観察する。医療費抑制の観点から、糖尿病予防のための生活習慣（規則的な食事、運動など）を行うことが重要であるが、年代別、性別にどのような食事、運動が好ましいか否かは把握することは容易でない。また、食事療法、運動療法を実行しても、どのような効果がえられるのかを把握することも容易でない。治療薬による治療が開始されても、処方される薬剤がどのような作用機序があり、副作用、摂取食品との相互作用がどのようになるかは主治医から十分な説明がなされていない。
【０００３】
また、指導を受けた毎日の食事，運動の実践状況と併せて、血糖測定データを数ヶ月記憶し、そのデータをパソコンなどに送信できる血糖測定装置による測定においても非常に負担となっている。また、インスリンなどの薬剤投与との関連をトレンドとして在宅で確認することは難しい。どのような特定保健用食品の摂取が糖尿病予防または糖尿病治療に効果があるかということを把握することが極めて困難であった。
【０００４】
また、摂取カロリーについても１日の指示単位（摂取カロリー）　内で食事毎のチェックをメモとるなどいちいち記録する必要があり、極めて煩雑なものであった。
【０００５】
【発明が解決しようとする課題】
本発明は、上記問題点に鑑みなされたものであって、在宅においても負担のかからない糖尿病予防／糖尿病治療のための支援システムを提供することを目的とする。
【０００６】
【課題を解決するための手段】
上記目的を達成するために、本発明は、糖尿病予防に関するデータベースを情報通信ネットワーク（インターネット）に接続された業者のサーバに備え、このデータベースに予め登録された個人からアクセス可能にした糖尿病予防支援／糖尿病治療支援システムであって、個人端末装置と、健康管理データベースサーバ（プロバイダー），医療機関端末装置，健康サービス業者端末装置のうち少なくともいずれかと相互に接続する情報通信ネットワーク（インターネット）を備えてなることを特徴とする。また、個人端末装置は、バイタルデータや問診データをインターネットを介してパスワード，ユーザＩＤ番号とともにサーバに入力するバイタル情報入力手段，送信するバイタル情報送信手段と、バイタルデータや問診データに対する診断結果や助言等をインターネットを介してサーバのデータベースから参照するデータベース参照手段とを有することを特徴とする。
【０００７】
本発明は、また、糖尿病予防支援及び／または糖尿病治療支援に関するデータベースを情報通信ネットワーク（インターネット）に接続された業者のサーバに備え、データベースに予め登録された個人からアクセス可能にした糖尿病予防支援及び／または糖尿病治療支援システムへのアクセスのプログラムコードを備えた記憶媒体であって、個人端末装置からバイタルデータや問診データを情報通信ネットワークを介してパスワード，ユーザＩＤ番号とともにサーバに入力するバイタル情報入力を入力するステップのプログラムコードと、入力されたバイタル情報を健康管理データベースサーバ（プロバイダー）及び／または業者のデータベースに送信するステップのプログラムコードと、バイタルデータや問診データに対する診断結果や助言等を情報通信ネットワークを介してサーバのデータベースから参照するステップのプログラムコードとからなることを特徴とする糖尿病予防支援及び／または糖尿病治療支援システムへのアクセスのプログラムコードを備えたものである。
【０００８】
【発明の実施の形態】
本発明の実施の形態について図面を参照して説明する。図１は、本発明の一実施の形態の構成を示すブロック図であり、個人端末装置１と、プロバイダー（健康管理支援データベースサーバー）２と、医療機関端末装置３ａ，３ｂと、健康サービス事業者端末装置４ａ，４ｂと、これらの端末（装置）を相互に接続する情報通信ネットワーク（　ＬＡＮ，ＶＡＮ，インターネット等）５とを備えている。
【０００９】
個人端末装置１は、一般家庭等の在宅に端末装置であり、ＣＰＵ（中央制御手段）１０と、血糖値，血圧，体重等糖尿病に関連のバイタルデータや問診データ（問診の回答），パスワード，ユーザＩＤ番号等のデータを入力するバイタル情報入力段１１と、入力された情報を送信するバイタル情報送信手段１２と、シュミレーション参照手段１３と、プロバイダー（健康管理支援データベースサーバー）２のデータベースを参照できるデータベース参照手段１４、カラー液晶画面等を含む表示手段１５を備えている。携帯電話に上述の機能を備えることも可能である。
【００１０】
健康管理データベースサーバ２は、例えば、プロバイダー（インターネットサービスプロバイダー）等の業者が保有するサーバであり、予め登録された個人（利用者）の健康管理に関するデータベースの構築や運用，更新，保守等の管理を行う。健康管理データベースサーバ２は、ＣＰＵ（中央制御手段）２０と、個人（利用者）情報登録手段２１と、血糖値，血圧，体重等糖尿病に関連のバイタル情報登録手段２２と、測定結果に基づく助言登録手段２３と、管理費用算出・請求手段２４と、血糖値，血圧，体重等高血圧に関連のバイタル情報，食事，運動等の生活習慣に基づいて血糖値，血圧，体重をシュミレーションを演算するシュミレーション演算手段２５、利用者情報データベース２００，　血糖値，血圧，体重等糖尿病関連のバイタル情報データベース２０１、特定保健用食品，特別用途食品の価格，効能、血糖計の価格，測定方法，糖尿病に処方される薬剤の種類とその作用機序，価格，副作用等の情報提供データベース２０２、食事，運動などの健康関連情報提供データベース２０３、専門医、専門病院等の医療機関情報データベース２０４とを備えている。また、血糖値，血圧，体重等糖尿病関連のバイタル情報データベース２０１は、予め登録された個人（利用者）の平均値，正常値等も含んでいる。
【００１１】
図２は、記憶されたそれらのデータベースからの検索、表示の一例である。管理費用演算手段２４は、データベースの管理費用を定期的（例えば、一回／月）に算出し、情報通信ネットワーク（ＬＡＮ，ＶＡＮ，専用電話回線，インターネット等）６を介して登録された個人に請求する。なお、プロバイダー２は健康サービス業者とは別の業者が立ち上げて管理してもよいし、健康サービス業者が一社で立ち上げて管理してもよいし、または複数の健康サービス業者が共同で立ち上げて管理してもよい。なお、商品名は、商品名に対応する各メーカーの登録商標である。
【００１２】
医療機関端末装置３ａ，３ｂは、ＣＰＵ３０ａ，３０ｂ、プロバイダーにある各種デーダベース２００〜２０４を参照するデータベース参照手段３１ａ，３１ｂ、必要に応じて個人端末装置１からの要求に応じて個人の血糖値，血圧，体重等の情報に基づいて情報通信ネットワーク５を介して診断結果を送信する診断結果送信手段３２ａ，３２ｂを備えている。
【００１３】
健康サービス事業者端末装置４ａ，４ｂは、健康管理機器メーカー，健康食品メーカー，薬剤メーカーに設けられるもので、ＣＰＵ４０ａ，４０ｂ、血糖計，体重計，体脂肪計，特定保健用食品，特別用途食品，糖尿病食事療法のための食品交換表，健康医療器具などの医療器具，医薬品添付文書と同様の内容（仕様方法，形状，構造，性能，使用目的，効能（効果），使用方法（操作）方法，用法，用量，　副作用等注意事項）の他、価格等の製品情報データベース４１ａ，４１ｂを備え、情報通信ネットワーク５を介して、個人端末装置１、医療機関端末装置３ａ，３ｂから参照可能となっている。
【００１４】
また、データベース参照手段４２ａ，４２ｂから情報通信ネットワーク５を介して、健康管理データベースサーバ２のデータベース２００〜２０４にアクセス可能となっている。また、情報通信ネットワーク５を介して、個人端末装置１から健康サービス事業者端末装置４ａ，４ｂにアクセスして、血糖計，体重計，体脂肪計，特定保健用食品，特別用途食品，健康医療器具など発注が可能となるようにしてもよい。
【００１５】
個人端末装置１においてシュミレーション参照手段１３でプロバイダー２にアクセスし、プロバイダー２のバイタルデータベース２０１を基にシュミレーション演算手段２５で演算された糖尿病と関連のある１〜３月後の血糖値，血圧，体重等を表示手段に１５に表示して確認できる。表示手段１５では、過去の血糖値，血圧，体重をトレンド表示、血糖値，血圧，　体重の標準値との比較表示することもできる。図４は１日の指示（標準）単位を２０単位（１６００キロカロリー）とした場合の配分例の表示を示す一例であり、食品交換表１〜６の１日の指示（摂取）単位、朝・昼・夕・間食に配分された指示（摂取）単位の例である。これらと実際に摂取した食品交換表１〜６の単位を個人端末装置１または携帯端末（携帯電話）で毎食事毎に入力し、比較表示することで、所定以上のカロリー摂取があった場合、アラームを表示したり、音声ガイダンスなどにより時間の食事のアドバイスを行ってもよい。
【００１６】
【発明の効果】
本発明によれば、生活習慣病の１つである糖尿病予防についての情報が容易に入手可能であるとともにシュミレートされた将来の血糖値，血圧，体重等を容易に把握できるので、食事を始めと生活習慣の改善の支援となる。食品交換表との照合も容易に可能となり、摂取カロリーの確認が容易となる。、また、薬剤による治療を行っている場合、どのような薬剤が処方されているのかも容易に確認できる。また、食事毎に摂取カロリーを容易に確認できる。
【図面の簡単な説明】
【図１】本発明の実施例のブロック図である。
【図２】糖尿病薬剤データ，食品交換データ等の各種データを示す図である。
【図３】トレンド表示を示す図である。
【図４】１日の指示（標準）単位を２０単位（１６００キロカロリー）とした場合の配分例の表示を示す図である。
【符号の説明】
１…個人端末装置、２…プロバイダー（健康管理支援データベースサーバー）、３ａ，３ｂ…医療機関端末装置、４ａ，４ｂ…健康サービス事業者端末装置、５…情報通信ネットワーク
【図１】
2004065828.tif 000003
【図２】
2004065828.tif 000004
【図３】
2004065828.tif 000005
【図４】
2004065828.tif 000006